(57)【特許請求の範囲】
【請求項１】
複数の光束を射出する光源装置、光偏向器及び光学系が光学ハウジング内に収容されている光走査装置、及び画像情報に応じて変調された前記光走査装置からの複数の光束により走査される複数の像担持体を備え、それらが筐体に取り付けられている画像形成装置において、
前記光学ハウジングは、蓋を有する箱状部材であり、前記光学ハウジングは該箱状部材の蓋及び底部が前記複数の像担持体の配列方向と平行となるように取り付けられ、前記蓋又は前記底部に、外形が多角柱状の突起部を有し、
前記突起部を保持するとともに、前記筐体に取り付けられた連結部材を更に備える画像形成装置。
【請求項２】
前記光偏向器は、回転多面鏡を含み、
前記突起部は、前記回転多面鏡の回転軸方向からみたとき、前記蓋又は前記底部の中心と前記回転多面鏡の回転中心とを結ぶ直線上に設けられていることを特徴とする請求項１に記載の画像形成装置。
【請求項３】
複数の光束を射出する光源装置、光偏向器及び光学系が光学ハウジング内に収容されている光走査装置、及び画像情報に応じて変調された前記光走査装置からの複数の光束により走査される複数の像担持体を備え、それらが筐体に取り付けられている画像形成装置において、
前記光学ハウジングは、蓋を有する箱状部材であり、前記光学ハウジングは該箱状部材の蓋及び底部が前記複数の像担持体の配列方向と平行となるように取り付けられ、前記蓋又は前記底部に突起部を有し、
前記突起部を保持するとともに、前記筐体に取り付けられた連結部材を更に備え、
前記連結部材は、前記突起部に取り付けられた中間部材と、該中間部材を保持し、前記筐体に取り付けられたフレーム部材とを有する画像形成装置。
【請求項４】
前記光偏向器は、回転多面鏡を含み、
前記突起部は、前記回転多面鏡の回転軸方向からみたとき、前記蓋又は前記底部の中心と前記回転多面鏡の回転中心とを結ぶ直線上に設けられていることを特徴とする請求項３に記載の画像形成装置。
【請求項５】
前記突起部は、外形が多角柱状であることを特徴とする請求項３又は４に記載の画像形成装置。
【請求項６】
前記中間部材は、弾性部材であることを特徴とする請求項３〜５のいずれか一項に記載の画像形成装置。
【請求項７】
前記中間部材は、その内部に前記突起部の外形に倣う形状の空間を有していることを特徴とする請求項６に記載の画像形成装置。
【請求項８】
前記突起部は、外周面の一部に、溝を有することを特徴とする請求項７に記載の画像形成装置。
【請求項９】
前記フレーム部材は、前記中間部材が保持される第１の穴と、前記中間部材が通過できる第２の穴とを有し、
前記第１の穴と前記第２の穴は、互いの一部が重なり、前記中間部材が前記第２の穴から前記第１の穴にスライド可能であることを特徴とする請求項３〜８のいずれか一項に記載の画像形成装置。
【請求項１０】
前記光走査装置の光学系は、
前記複数の光源からの複数の光束を前記光偏向器に導く偏向器前光学系と、
前記光偏向器で偏向された複数の光束を分離する光束分離素子を含み、該分離された各光束を、対応する感光体ドラムの表面に個別に集光する走査光学系とを有することを特徴とする請求項１〜９のいずれか一項に記載の画像形成装置。
【発明の詳細な説明】
【技術分野】
【０００１】
本発明は、画像形成装置に係り、更に詳しくは、被走査面を光によって走査する光走査装置を備える画像形成装置に関する。
【背景技術】
【０００２】
電子写真の画像記録では、レーザを用いた画像形成装置が広く用いられている。この画像形成装置は、一般的に光走査装置を備え、光偏向器（例えば、ポリゴンミラー）を用いて、感光性を有するドラムの軸方向にレーザ光を走査しつつ、該ドラムを回転させ、ドラムの表面に潜像を形成する。
【０００３】
近年、画像形成装置において、カラー化、高速化が進み、感光性を有するドラムを複数（通常は４つ）有するタンデム方式の画像形成装置が普及してきている。
【０００４】
画像形成装置では、ドラムの表面に潜像を形成する際、光偏向器の回転に起因する振動によって光学ハウジングが変形し、画像形成装置から出力される画像にスジ状の濃度むら（バンディング）が生じるおそれがあった。
【０００５】
そこで、光学ハウジングの変形を抑制する方法が種々検討された。例えば、特許文献１には、光学部品を搭載しかつ構成部材の振動が伝搬する板金製ハウジングの底壁に振動の節となる少なくとも二個以上の取り付け箇所が光学部品の長手方向に間隔を開けて設けられ、光学部品を保持する光学部品保持部材が取り付け箇所に取り付けられ、光学部品保持部材は底壁に対してその振動の節から節までの間が浮いている光走査装置が開示されている。
【０００６】
近年、画像形成装置の更なる小型化が要求され、それに伴い、光走査装置に対しても、小型化が要求されている。
【０００７】
光走査装置の小型化には、光偏向器から各感光体ドラムに向かう複数のレーザ光の光路を重ね合わせることが有効である（例えば、特許文献２〜特許文献４参照）。この場合は、装置の薄型化を図ることができる。
【発明の概要】
【発明が解決しようとする課題】
【０００８】
ところで、光走査装置は小型化（特に薄型化）されると、該光走査装置の外部からの振動によって光学ハウジングが変形しやすくなる。すなわち、小型化された光走査装置は機械的な外乱に弱くなり、該光走査装置を備える画像形成装置は、所望の画像品質を得るのが困難になるおそれがあった。
【０００９】
そこで、小型化された光走査装置に対して、特許文献１に開示されている光走査装置と同様にして光学ハウジングの変形を抑制することが考えられる。しかしながら、この場合、光学ハウジングの設計において、振動の節となる部分を所望の位置に設定することは、必ずしも容易ではなかった。また、光学設計に関しても、各光学部材を振動の節となる位置にあわせて配置することが困難な場合があった。
【課題を解決するための手段】
【００１０】
本発明は、複数の光束を射出する光源装置、光偏向器及び光学系が光学ハウジング内に収容されている光走査装置、及び画像情報に応じて変調された前記光走査装置からの複数の光束により走査される複数の像担持体を備え、それらが筐体に取り付けられている画像形成装置において、前記光学ハウジングは、蓋を有する箱状部材であり、前記光学ハウジングは該箱状部材の蓋及び底部が前記複数の像担持体の配列方向と平行となるように取り付けられ、前記蓋又は前記底部に、外形が多角柱状の突起部を有し、前記突起部を保持するとともに、前記筐体に取り付けられた連結部材を更に備える画像形成装置である。
【発明の効果】
【００１１】
本発明の画像形成装置によれば、光走査装置が機械的な外乱に強くなり、画像品質を向上させることができる。
【図面の簡単な説明】
【００１２】
【図１】本発明の一実施形態に係るカラープリンタの概略構成を示す図である。
【図２】図１における光走査装置を説明するための図である。
【図３】図２における偏向器前光学系を説明するための図である。
【図４】図２における走査光学系Ａ及び走査光学系Ｂを説明するための図である。
【図５】偏光分離素子における偏光分離面を説明するための図である。
【図６】偏光分離素子における反射防止膜を説明するための図である。
【図７】偏光分離素子２１１０１の作用を説明するための図（その１）である。
【図８】偏光分離素子２１１０１の作用を説明するための図（その２）である。
【図９】偏光分離素子２１１０１と折り返しミラー２１０６ｂを保持するホルダ１０を説明するための図である。
【図１０】図９の縦断面図である。
【図１１】偏光分離素子２１１０２と折り返しミラー２１０６ｃを保持するホルダ１０を説明するための図である。
【図１２】２枚の折り返しミラー（２１０６ａ、２１０８ａ）を保持するホルダ２０を説明するための図である。
【図１３】図１２の縦断面図である。
【図１４】２枚の折り返しミラー（２１０６ｄ、２１０８ｄ）を保持するホルダ２０を説明するための図である。
【図１５】光学ハウジングを説明するための図である。
【図１６】光学ハウジングの突起部を説明するための図である。
【図１７】図１７（Ａ）及び図１７（Ｂ）は、光学ハウジングの突起部の詳細を説明するための図である。
【図１８】図１８（Ａ）は、弾性部材を説明するための図であり、図１８（Ｂ）は、図１８（Ａ）のＡ−Ａ断面図である。
【図１９】光学ハウジングの突起部に弾性部材が取り付けられている状態を説明するための図である。
【図２０】補強用ステーを説明するための図である。
【図２１】補強用ステーに形成されている２つの穴を説明するための図である。
【図２２】光学ハウジングの突起部と弾性部材と補強用ステーとの関係を説明するための図（その１）である。
【図２３】光学ハウジングの突起部と弾性部材と補強用ステーとの関係を説明するための図（その２）である。
【図２４】従来の４箇所締結構造の場合の周波数応答シミュレーション結果を説明するための図である。
【図２５】従来の４箇所締結構造の場合のボード線図を説明するための図である。
【図２６】本実施形態の場合の周波数応答シミュレーション結果を説明するための図である。
【図２７】本実施形態の場合のボード線図を説明するための図である。
【図２８】図２８（Ａ）及び図２８（Ｂ）は、それぞれ突起部の変形例を説明するための図である。
【図２９】図２９（Ａ）〜図２９（Ｃ）は、それぞれ図２８（Ａ）及び図２８（Ｂ）の突起部に対応する弾性部材を説明するための図である。
【図３０】図２９（Ａ）〜図２９（Ｃ）の弾性部材に対応して、補強用ステーに形成されている２つの穴を説明するための図である。
【図３１】偏光分離デバイスを説明するための図である。
【発明を実施するための形態】
【００１３】
以下、本発明の一実施形態を図１〜図２７に基づいて説明する。図１には、一実施形態に係るカラープリンタ２０００の概略構成が示されている。
【００１４】
このカラープリンタ２０００は、４色（ブラック、シアン、マゼンタ、イエロー）を重ね合わせてフルカラーの画像を形成するタンデム方式の多色カラープリンタであり、光走査装置２０１０、４つの感光体ドラム（２０３０ａ、２０３０ｂ、２０３０ｃ、２０３０ｄ）、４つのクリーニングユニット（２０３１ａ、２０３１ｂ、２０３１ｃ、２０３１ｄ）、４つの帯電装置（２０３２ａ、２０３２ｂ、２０３２ｃ、２０３２ｄ）、４つの現像ローラ（２０３３ａ、２０３３ｂ、２０３３ｃ、２０３３ｄ）、転写ベルト２０４０、転写ローラ２０４２、定着ローラ２０５０、給紙コロ２０５４、排紙ローラ２０５８、給紙トレイ２０６０、排紙トレイ２０７０、通信制御装置２０８０、及び上記各部を統括的に制御するプリンタ制御装置２０９０などを備えている。そして、これらは、プリンタ筐体の中に収容されている。
【００１５】
通信制御装置２０８０は、ネットワークなどを介した上位装置（例えばパソコン）との双方向の通信を制御する。
【００１６】
プリンタ制御装置２０９０は、ＣＰＵ、該ＣＰＵにて解読可能なコードで記述されたプログラム及び該プログラムを実行する際に用いられる各種データが格納されているＲＯＭ、作業用のメモリであるＲＡＭ、アナログデータをデジタルデータに変換するＡ／Ｄ変換器などを有している。そして、プリンタ制御装置２０９０は、上位装置からの要求に応じて各部を制御するとともに、上位装置からの多色の画像情報を光走査装置２０１０に送る。
【００１７】
感光体ドラム２０３０ａ、帯電装置２０３２ａ、現像ローラ２０３３ａ、及びクリーニングユニット２０３１ａは、組として使用され、ブラックの画像を形成する画像形成ステーション（以下では、便宜上「Ｋステーション」ともいう）を構成する。
【００１８】
感光体ドラム２０３０ｂ、帯電装置２０３２ｂ、現像ローラ２０３３ｂ、及びクリーニングユニット２０３１ｂは、組として使用され、シアンの画像を形成する画像形成ステーション（以下では、便宜上「Ｃステーション」ともいう）を構成する。
【００１９】
感光体ドラム２０３０ｃ、帯電装置２０３２ｃ、現像ローラ２０３３ｃ、及びクリーニングユニット２０３１ｃは、組として使用され、マゼンタの画像を形成する画像形成ステーション（以下では、便宜上「Ｍステーション」ともいう）を構成する。
【００２０】
感光体ドラム２０３０ｄ、帯電装置２０３２ｄ、現像ローラ２０３３ｄ、及びクリーニングユニット２０３１ｄは、組として使用され、イエローの画像を形成する画像形成ステーション（以下では、便宜上「Ｙステーション」ともいう）を構成する。
【００２１】
各感光体ドラムはいずれも、その表面に感光層が形成されている。すなわち、各感光体ドラムの表面がそれぞれ被走査面である。各感光体ドラムは、不図示の回転機構により、図１における面内で矢印方向に回転する。
【００２２】
ここでは、ＸＹＺ３次元直交座標系において、各感光体ドラムの長手方向（回転軸方向）に沿った方向をＹ軸方向、４つの感光体ドラムの配列方向に沿った方向をＸ軸方向として説明する。
【００２３】
各帯電装置は、対応する感光体ドラムの表面をそれぞれ均一に帯電させる。
【００２４】
光走査装置２０１０は、プリンタ制御装置２０９０からの４色の画像情報（ブラックの画像情報、シアンの画像情報、マゼンタの画像情報、イエローの画像情報）に基づいて色毎に変調された４つの光束によって、対応する帯電された感光体ドラムの表面をそれぞれ走査する。これにより、画像情報に対応した潜像が各感光体ドラムの表面にそれぞれ形成される。ここで形成された潜像は、感光体ドラムの回転に伴って対応する現像ローラの方向に移動する。なお、この光走査装置２０１０の詳細については後述する。
【００２５】
各現像ローラは、回転に伴って、対応するトナーカートリッジからのトナーが、その表面に薄く均一に塗布される。そして、各現像ローラの表面のトナーは、対応する感光体ドラムの表面に接すると、該表面における光が照射された部分にだけ移行し、そこに付着する。すなわち、各現像ローラは、対応する感光体ドラムの表面に形成された潜像にトナーを付着させて顕像化させる。ここでトナーが付着した像（トナー画像）は、感光体ドラムの回転に伴って転写ベルト２０４０の方向に移動する。
【００２６】
イエロー、マゼンタ、シアン、ブラックの各トナー画像は、所定のタイミングで転写ベルト２０４０上に順次転写され、重ね合わされてカラー画像が形成される。
【００２７】
給紙トレイ２０６０には記録紙が格納されている。この給紙トレイ２０６０の近傍には給紙コロ２０５４が配置されており、該給紙コロ２０５４は、記録紙を給紙トレイ２０６０から１枚ずつ取り出す。該記録紙は、所定のタイミングで転写ベルト２０４０と転写ローラ２０４２との間隙に向けて送り出される。これにより、転写ベルト２０４０上のカラー画像が記録紙に転写される。カラー画像が転写された記録紙は、定着ローラ２０５０に送られる。
【００２８】
定着ローラ２０５０では、熱と圧力とが記録紙に加えられ、これによってトナーが記録紙上に定着される。トナーが定着された記録紙は、排紙ローラ２０５８を介して排紙トレイ２０７０に送られ、排紙トレイ２０７０上に順次積み重ねられる。
【００２９】
各クリーニングユニットは、対応する感光体ドラムの表面に残ったトナー（残留トナー）を除去する。残留トナーが除去された感光体ドラムの表面は、再度対応する帯電装置に対向する位置に戻る。
【００３０】
次に、前記光走査装置２０１０の詳細について説明する。
【００３１】
この光走査装置２０１０は、一例として図２に示されるように、４つの光源（２２００ａ、２２００ｂ、２２００ｃ、２２００ｄ）、偏向器前光学系、ポリゴンミラー２１０４、走査光学系Ａ、走査光学系Ｂ、及び不図示の走査制御装置などを有している。そして、これらは、光学ハウジング２３００（図２では図示省略、図１５参照）に取り付けられている。
【００３２】
なお、以下では、便宜上、各光学部材において、主走査方向に対応する方向を「主走査対応方向」と略述し、副走査方向に対応する方向を「副走査対応方向」と略述する。
【００３３】
各光源は、半導体レーザ（ＬＤ）を含んでいる。光源２２００ｂと光源２２００ｃは、Ｘ軸方向に関して離れて配置されており、いずれも−Ｙ方向に光束を射出する。光源２２００ａと光源２２００ｄは、Ｘ軸方向に関して対向して配置されており、光源２２００ａは＋Ｘ方向に光束を射出し、光源２２００ｄは−Ｘ方向に光束を射出する。
【００３４】
偏向器前光学系は、一例として図３に示されるように、４つのカップリングレンズ（２２０１ａ、２２０１ｂ、２２０１ｃ、２２０１ｄ）、４つの１／２波長板（２２０２ａ、２２０２ｂ、２２０２ｃ、２２０２ｄ）、２つの偏光ビームスプリッタ（２２０５１、２２０５２）、２つの開口板（２２０３１、２２０３２）、及び２つのシリンドリカルレンズ（２２０４１、２２０４２）を有している。
【００３５】
カップリングレンズ２２０１ａは、光源２２００ａから射出された光束（以下では、「光束ＬＢａ」ともいう。）の光路上に配置され、該光束を略平行光束とする。
【００３６】
カップリングレンズ２２０１ｂは、光源２２００ｂから射出された光束（以下では、「光束ＬＢｂ」ともいう。）の光路上に配置され、該光束を略平行光束とする。
【００３７】
カップリングレンズ２２０１ｃは、光源２２００ｃから射出された光束（以下では、「光束ＬＢｃ」ともいう。）の光路上に配置され、該光束を略平行光束とする。
【００３８】
カップリングレンズ２２０１ｄは、光源２２００ｄから射出された光束（以下では、「光束ＬＢｄ」ともいう。）の光路上に配置され、該光束を略平行光束とする。
【００３９】
１／２波長板２２０２ａは、カップリングレンズ２２０１ａを介した光束ＬＢａの光路上に配置され、該光束を偏光ビームスプリッタ２２０５１の入射面に対してｓ偏光とする。
【００４０】
１／２波長板２２０２ｂは、カップリングレンズ２２０１ｂを介した光束ＬＢｂの光路上に配置され、該光束を偏光ビームスプリッタ２２０５１の入射面に対してｐ偏光とする。
【００４１】
１／２波長板２２０２ｃは、カップリングレンズ２２０１ｃを介した光束ＬＢｃの光路上に配置され、該光束を偏光ビームスプリッタ２２０５２の入射面に対してｐ偏光とする。
【００４２】
１／２波長板２２０２ｄは、カップリングレンズ２２０１ｄを介した光束ＬＢｄの光路上に配置され、該光束を偏光ビームスプリッタ２２０５２の入射面に対してｓ偏光とする。
【００４３】
偏光ビームスプリッタ２２０５１は、１／２波長板２２０２ａの＋Ｘ側であって、かつ１／２波長板２２０２ｂの−Ｙ側に配置されている。この偏光ビームスプリッタ２２０５１は、ｐ偏光を透過させ、ｓ偏光を反射する特性を有している。そこで、偏光ビームスプリッタ２２０５１は、１／２波長板２２０２ａを通過した光束ＬＢａを−Ｙ方向に反射し、１／２波長板２２０２ｂを通過した光束ＬＢｂを透過させる。そして、偏光ビームスプリッタ２２０５１から射出された光束ＬＢａの光路と光束ＬＢｂの光路は、ほぼ同一となる。すなわち、偏光ビームスプリッタ２２０５１は、２つの光束を合成する。
【００４４】
偏光ビームスプリッタ２２０５２は、１／２波長板２２０２ｄの−Ｘ側であって、かつ１／２波長板２２０２ｃの−Ｙ側に配置されている。この偏光ビームスプリッタ２２０５２は、ｐ偏光を透過させ、ｓ偏光を反射する特性を有している。そこで、偏光ビームスプリッタ２２０５２は、１／２波長板２２０２ｄを介した光束ＬＢｄを−Ｙ方向に反射し、１／２波長板２２０２ｃを介した光束ＬＢｃを透過させる。そして、偏光ビームスプリッタ２２０５２から射出された光束ＬＢｃの光路と光束ＬＢｄの光路は、ほぼ同一となる。すなわち、偏光ビームスプリッタ２２０５２は、２つの光束を合成する。
【００４５】
開口板２２０３１は、開口部を有し、偏光ビームスプリッタ２２０５１からの光束（光束ＬＢａ、光束ＬＢｂ）のビーム形状を整形する。
【００４６】
開口板２２０３２は、開口部を有し、偏光ビームスプリッタ２２０５２からの光束（光束ＬＢｃ、光束ＬＢｄ）のビーム形状を整形する。
【００４７】
シリンドリカルレンズ２２０４１は、開口板２２０３１の開口部を通過した光束（光束ＬＢａ、光束ＬＢｂ）を、ポリゴンミラー２１０４の偏向反射面近傍にＺ軸方向に関して結像する。すなわち、シリンドリカルレンズ２２０４１は、ポリゴンミラー２１０４の偏向反射面に線像を形成する。
【００４８】
シリンドリカルレンズ２２０４２は、開口板２２０３２の開口部を通過した光束（光束ＬＢｃ、光束ＬＢｄ）を、ポリゴンミラー２１０４の偏向反射面近傍にＺ軸方向に関して結像する。すなわち、シリンドリカルレンズ２２０４２は、ポリゴンミラー２１０４の偏向反射面に線像を形成する。
【００４９】
ポリゴンミラー２１０４は、一例として４面鏡を有し、各鏡がそれぞれ偏向反射面となる。このポリゴンミラー２１０４は、Ｚ軸方向に平行な軸まわりに等速回転し、各シリンドリカルレンズからの光束を偏向する。
【００５０】
シリンドリカルレンズ２２０４１からの光束（光束ＬＢａ、光束ＬＢｂ）はポリゴンミラー２１０４の−Ｘ側に偏向され、シリンドリカルレンズ２２０４２からの光束（光束ＬＢｃ、光束ＬＢｄ）はポリゴンミラー２１０４の＋Ｘ側に偏向される。なお、ポリゴンミラー２１０４の偏向反射面で偏向された光束が経時的に形成する光線束面は、「偏向面」と呼ばれている（特開平１１−２０２２５２号公報参照）。ここでは、偏向面はＸＹ面に平行な面である。
【００５１】
走査光学系Ａは、一例として図４に示されるように、偏向器側走査レンズ２１０５１、像面側走査レンズ２１０７１、偏光分離素子２１１０１、５枚の折り返しミラー（２１０６ａ、２１０６ｂ、２１０８ａ、２１０８ｂ、２１０９ａ）を有している。
【００５２】
偏向器側走査レンズ２１０５１は、ポリゴンミラー２１０４の−Ｘ側であって、ポリゴンミラー２１０４で偏向されたシリンドリカルレンズ２２０４１からの光束（光束ＬＢａ、光束ＬＢｂ）の光路上に配置されている。
【００５３】
像面側走査レンズ２１０７１は、偏向器側走査レンズ２１０５１の−Ｘ側であって、偏向器側走査レンズ２１０５１を介した光束（光束ＬＢａ、光束ＬＢｂ）の光路上に配置されている。
【００５４】
偏光分離素子２１１０１は、像面側走査レンズ２１０７１の−Ｘ側であって、像面側走査レンズ２１０７１を介した光束（光束ＬＢａ、光束ＬＢｂ）の光路上に配置されている。
【００５５】
偏光分離素子２１１０１は、偏光分離面を有している。該偏光分離面はワイヤーグリッド、誘電体多層膜等で構成することができるが、波面収差の増大を抑制するには誘電体多層膜が好ましい。
【００５６】
また、各偏光分離素子は、断面が直角二等辺三角形よりなる２つの三角柱状のガラス部材又は透明樹脂部材で偏光分離面を挟み込んだ四角柱構造としても良いが、ガラス又は透明樹脂製の板状部材（基板）の片面に偏光分離面を形成した構造の方が、簡単な工程で製造できる点で有利である。
【００５７】
偏光分離素子２１１０１は、一例として図５に示されるように、偏光分離面が偏向面に対して４５°傾斜した状態で配置されている。
【００５８】
偏光分離素子２１１０１における偏光分離面と逆側の面には、一例として図６に示されるように、反射防止膜が形成されている。反射防止膜を設けることで、分離後に基板を透過した光が基板の裏面で反射して不要光（ゴースト光）を発生させるのを抑制できる。
【００５９】
偏光分離素子２１１０１は、光束ＬＢａを透過させ（図７参照）、光束ＬＢｂを−Ｚ方向に反射する（図８参照）。
【００６０】
図４に戻り、偏光分離素子２１１０１を透過した光束ＬＢａは、３枚の折り返しミラー（２１０６ａ、２１０８ａ、２１０９ａ）を介して、感光体ドラム２０３０ａの表面に導光される。
【００６１】
偏光分離素子２１１０１で反射された光束ＬＢｂは、２枚の折り返しミラー（２１０６ｂ、２１０８ｂ）を介して、感光体ドラム２０３０ｂの表面に導光される。
【００６２】
偏向器側走査レンズ２１０５１、及び像面側走査レンズ２１０７１は、２つの画像形成ステーションで共用されている。
【００６３】
走査光学系Ｂは、偏向器側走査レンズ２１０５２、像面側走査レンズ２１０７２、偏光分離素子２１１０２、５枚の折り返しミラー（２１０６ｃ、２１０６ｄ、２１０８ｃ、２１０８ｄ、２１０９ｄ）を有している。
【００６４】
偏向器側走査レンズ２１０５２は、ポリゴンミラー２１０４の＋Ｘ側であって、ポリゴンミラー２１０４で偏向されたシリンドリカルレンズ２２０４２からの光束（光束ＬＢｃ、光束ＬＢｄ）の光路上に配置されている。
【００６５】
像面側走査レンズ２１０７２は、偏向器側走査レンズ２１０５２の＋Ｘ側であって、偏向器側走査レンズ２１０５２を介した光束（光束ＬＢｃ、光束ＬＢｄ）の光路上に配置されている。
【００６６】
偏光分離素子２１１０２は、像面側走査レンズ２１０７２の＋Ｘ側であって、像面側走査レンズ２１０７２を介した光束（光束ＬＢｃ、光束ＬＢｄ）の光路上に配置されている。偏光分離素子２１１０２は、偏光分離素子２１１０１と同様な偏光分離素子である。
【００６７】
偏光分離素子２１１０２は、光束ＬＢｄを透過させ、光束ＬＢｃを−Ｚ方向に反射する。
【００６８】
偏光分離素子２１１０２で反射された光束ＬＢｃは、２枚の折り返しミラー（２１０６ｃ、２１０８ｃ）を介して、感光体ドラム２０３０ｃの表面に導光される。
【００６９】
偏光分離素子２１１０２を透過した光束ＬＢｄは、３枚の折り返しミラー（２１０６ｄ、２１０８ｄ、２１０９ｄ）を介して、感光体ドラム２０３０ｄの表面に導光される。
【００７０】
偏向器側走査レンズ２１０５２、及び像面側走査レンズ２１０７２は、２つの画像形成ステーションで共用されている。
【００７１】
各感光体ドラム表面の光スポットは、ポリゴンミラー２１０４の回転に伴って長手方向に移動する。このときの光スポットの移動方向が「主走査方向」であり、感光体ドラムの回転方向が「副走査方向」である。
【００７２】
偏光分離素子２１１０１と折り返しミラー２１０６ｂは、一例として図９に示されるように、ホルダ１０に一体的に保持されている。
【００７３】
ホルダ１０は、図９の縦断面図である図１０に示されるように、Ｚ軸方向に関して、偏光分離素子２１１０１及び折り返しミラー２１０６ｂに対してはみ出すことなく偏光分離素子２１１０１と折り返しミラー２１０６ｂとを一体的に保持している。
【００７４】
このホルダ１０は、Ｙ軸方向を長手方向とする２つの面が略垂直に組み合わされたダハ面（例えば、特開平６−５０７３９号公報参照）を有するアルミダイカストの部材である。そして、該ダハ面における＋Ｚ側の面に偏光分離素子２１１０１が保持され、−Ｚ側の面に折り返しミラー２１０６ｂが保持されている。また、ホルダ１０には、偏光分離素子２１１０１を透過した光束ＬＢａを通過させる矩形状のニゲ穴が形成されている。
【００７５】
偏光分離素子２１１０１及び折り返しミラー２１０６ｂは、長手方向（Ｙ軸方向）における複数箇所で、ダハ面に板ばねによって押圧され、あるいは接着剤によって接着されている。これにより、偏光分離素子２１１０１及び折り返しミラー２１０６ｂは、それぞれが単体のときに比べて、剛性が高くなるとともに、固有振動数が高周波数側にシフトする。その結果、外部からの振動によって共振するのを抑制することができる。すなわち、耐振動性が向上する。
【００７６】
また、偏光分離素子２１１０１及び折り返しミラー２１０６ｂがダハ面に保持されているため、その挟角が製造誤差等により９０°からずれていても、折り返しミラー２１０６ｂで折り返された光束の進行方向（ここでは、＋Ｘ方向）は変化しない。仮に、従来のように折り返しミラーを単独で配置した場合、ミラー面の角度が設計値に対してθ変化すると該ミラー面で反射された光束の進行方向は予定していた方向に対して２θ変化する。
【００７７】
また、偏光分離素子２１１０２と折り返しミラー２１０６ｃも、一例として図１１に示されるように、ホルダ１０に一体的に保持されている。これによって、偏光分離素子２１１０２及び折り返しミラー２１０６ｃは、それぞれが単体のときに比べて、剛性が高くなるとともに、固有振動数が大きくなる。その結果、外部からの振動によって共振するのを抑制することができる。すなわち、耐振動性が向上する。
【００７８】
また、折り返しミラー２１０６ａと折り返しミラー２１０８ａは、一例として図１２に示されるように、ホルダ２０に一体的に保持されている。
【００７９】
ホルダ２０は、図１２の縦断面図である図１３に示されるように、Ｚ軸方向に関して、折り返しミラー２１０６ａ及び折り返しミラー２１０８ａに対してはみ出すことなく折り返しミラー２１０６ａと折り返しミラー２１０８ａとを一体的に保持している。
【００８０】
このホルダ２０は、Ｙ軸方向を長手方向とし、Ｙ軸方向に直交する断面の形状がいわゆるダハ形状であるアルミダイカストの部材である。そして、＋Ｚ側のダハ面に折り返しミラー２１０６ａが保持され、−Ｚ側のダハ面に折り返しミラー２１０８ａが保持されている。
【００８１】
折り返しミラー２１０６ａ及び折り返しミラー２１０８ａは、長手方向（Ｙ軸方向）における複数箇所で、ダハ面に板ばねによって押圧され、あるいは接着剤によって接着されている。これにより、折り返しミラー２１０６ａ及び折り返しミラー２１０８ａは、それぞれ単体のときに比べて剛性が高くなるとともに、固有振動数が高周波数側にシフトする。その結果、外部からの振動によって共振するのを抑制することができる。すなわち、耐振動性が向上する。
【００８２】
また、折り返しミラー２１０６ｄと折り返しミラー２１０８ｄも、一例として図１４に示されるように、ホルダ２０に一体的に保持されている。これにより、折り返しミラー２１０６ｄ及び折り返しミラー２１０８ｄは、それぞれ単体のときに比べて剛性が高くなるとともに、固有振動数が高周波数側にシフトする。その結果、外部からの振動によって共振するのを抑制することができる。すなわち、耐振動性が向上する。
【００８３】
図１５には、光学ハウジング２３００に、４つの光源、偏向器前光学系、ポリゴンミラー２１０４、走査光学系Ａ、走査光学系Ｂが組み付けられた状態が示されている。光学ハウジング２３００は、ヤング率が１．２５×１０１０（Ｐａ）の樹脂製の蓋付きの箱状部材であり、上板、底板、及び４枚の側板を有している。上板が蓋である。
【００８４】
上板及び底板は、ＸＹ面に平行であり、４つの感光体ドラムの配列方向に平行である。
【００８５】
また、ポリゴンミラー２１０４は、光学ハウジング２３００の中央部に配置されている。なお、図１５は、上板を取り除いたときの図である。また、底板と４枚の側板は、一体成形されている。
【００８６】
この光学ハウジング２３００は、Ｙ軸方向の両端が、それぞれステー２４０１を介してプリンタ筐体に固定される。該ステー２４０１は、Ｘ軸方向を長手方向とし、Ｘ軸方向の両端近傍に、プリンタ筐体にねじ止めするための穴を有している板金部材である。
【００８７】
光学ハウジング２３００のＹ軸方向の２つの側板には、それぞれＸ軸方向の両端近傍にステー２４０１との締結部が設けられている。
【００８８】
光学ハウジング２３００の底板の−Ｚ側の面の中央部には、一例として図１６〜図１７（Ｂ）に示されるように、円柱状で段付きの突起部２３０２が設けられている。この突起部２３０２の先端部は面取りされている。
【００８９】
図１８（Ａ）及び図１８（Ｂ）には、突起部２３０２に取り付けられるゴム製の弾性部材２３１０が示されている。なお、図１８（Ｂ）は、図１８（Ａ）のＡ−Ａ断面図である。この弾性部材２３１０の外形は、Ｚ軸方向を高さ方向とする円柱形状であり、側面に溝が形成されている。また、弾性部材２３１０は、突起部２３０２の外形に倣った形状の空間を内部に有している。
【００９０】
図１９には、突起部２３０２に弾性部材２３１０が取り付けられている状態が示されている。弾性部材２３１０は、一旦突起部２３０２に取り付けられると、互いの段部がかみあって抜けにくくなる。
【００９１】
また、一例として図２０に示されるように、光学ハウジング２３００の底板の−Ｚ側の面の中央部には、補強用ステー２４０３が取り付けられている。該補強用ステー２４０３は、Ｙ軸方向を長手方向とし、Ｘ軸方向の両端が段曲げされている板金部材である。ここでは、補強用ステー２４０３の長手方向とステー２４０１の長手方向は、互いに直交している。
【００９２】
補強用ステー２４０３のＹ軸方向の両端近傍には、該補強用ステー２４０３をプリンタ筐体にねじ止めするための穴が設けられている。
【００９３】
補強用ステー２４０３の底板の中央部には、一例として図２１に示されるように、第１の穴２４０４ａと第２の穴２４０４ｂとが形成されている。該２つの穴は、それぞれ一部が重なっている。第１の穴２４０４ａの穴径は、弾性部材２３１０における溝径よりも若干小さく、第２の穴２４０４ｂの穴径は、弾性部材２３１０の外径よりも若干大きい。
【００９４】
そして、Ｚ軸方向からみたとき、第１の穴２４０４ａの中心と突起部２３０２の中心とは略一致している。また、Ｚ軸方向に関して、補強用ステー２４０３の底板の位置と弾性部材２３１０の溝の位置とが略一致するように設定されている。
【００９５】
突起部２３０２と弾性部材２３１０と補強用ステー２４０３との関係が、図２２及び図２３に示されている。弾性部材２３１０の溝に、補強用ステー２４０３が食い込んでいる。
【００９６】
光学ハウジング２３００に補強用ステー２４０３を取り付ける際は、弾性部材２３１０の−Ｚ側に第２の穴２４０４ｂが位置する状態で補強用ステー２４０３を＋Ｚ方向に移動させ、光学ハウジング２３００と補強用ステー２４０３を密着させたのち、弾性部材２３１０が第１の穴２４０４ａに移動するように補強用ステー２４０３をＹ軸方向にずらす。これにより、弾性部材２３１０の溝に補強用ステー２４０３を容易に食い込ますことができる。
【００９７】
一般的に、光走査装置では、ステーとの締結箇所が、光学ハウジングの側板の外側に設けられている。これは組立てを容易にするためである。
【００９８】
仮に、光学ハウジングの内部に締結箇所を設けた場合には、予め光学ハウジングの上板に穴を開けておき、ステーを締結させてから該穴を塞ぐか、あるいはステーを締結させてから、上板の組付けを行う必要がある。これは、組立ての作業性を阻害し、防塵対策の点からも好ましくない。
【００９９】
しかしながら、ステーとの締結箇所が光学ハウジングの側板の外側に設けられる場合は、締結箇所間のスパンが非常に長くなり、外部からの振動によって底板及び上板の中央部が大きな振幅で振動するという不具合が発生する。また、タンデム対応の対向走査方式の光走査装置の場合は、必然的にポリゴンミラーが光学ハウジングの中央部に配置されることになり、ダイナミックバランスが悪いとポリゴンミラー自体が振動源となる。なお、以下では、締結箇所が光学ハウジングの側板の外側のみに設けられた従来の構造を、便宜上「従来の４箇所ねじ締結構造」という。
【０１００】
本実施形態では、走査光学系のＺ軸方向に関する寸法を小さくし、光走査装置の薄型化を図っている。そこで、光学ハウジング２３００は、側板の高さが従来よりも低い。
【０１０１】
ところで、光学ハウジングは、側板の高さが低くなると、固有振動数が低下し、外部からの振動に共振しやすくなる。
【０１０２】
本実施形態では、振動による振幅（変形）の一番大きい光学ハウジング２３００の底面中央部に突起部２３０２を設け、該突起部２３０２を弾性部材２３１０を介して補強用ステー２４０３で保持し、光学ハウジング２３００の変形量の低減を図っている。
【０１０３】
光学ハウジング２３００と補強用ステー２４０３とは、弾性部材２３１０の弾性を利用してガタつくことなく一体化されている。
【０１０４】
カラープリンタ２０００の電源がオフ状態の時は、弾性部材２３１０は、Ｚ軸方向に関して、圧縮力も引張力も作用しないほぼ中立状態になっている。
【０１０５】
カラープリンタ２０００の電源がオン状態となり、各部が稼働し始めると、振動が光学ハウジング２３００に伝播し、光学ハウジング２３００の中央部が大きく変形し始めるが、本実施形態では、弾性部材２３１０によって、中立状態から光学ハウジング２３００が変位する方向に対して常に逆向きに力が作用するため、結果として、光学ハウジング２３００の変形が抑えられる。
【０１０６】
また、ポリゴンミラー２１０４に起因する振動に対しても、全ての方向に関して同様な効果を得ることができる。
【０１０７】
従来の４箇所ねじ締結構造の場合について、ＡＮＳＹＳによる周波数応答解析のシミュレーションを行った。条件として、各ステーにおける締結用の穴４箇所にＺ軸方向に同時に（位相角０°で）３Ｎの調和振動（０〜５００Ｈｚ）の負荷を与えている。
【０１０８】
図２４には、振動の周波数が１００Ｈｚのときの、Ｚ軸方向の変形量が示されている。図２５には、ボード線図が示されている。１００Ｈｚが最大振幅を与える周波数であり、その最大変形量は±０．３５ｍｍであった。
【０１０９】
次に、本実施形態の場合について、ＡＮＳＹＳによる周波数応答解析のシミュレーションを行った。条件は、従来の４箇所ねじ締結構造の場合と同じである。
【０１１０】
図２６には、振動の周波数が１５０Ｈｚのときの、Ｚ軸方向の変形量が示されている。図２７には、ボード線図が示されている。１５０Ｈｚが最大振幅を与える周波数であり、その最大変形量は±０．０７ｍｍであった。本実施形態によれば、Ｚ軸方向の最大変位は、従来の４箇所ねじ締結構造に比べて、最大変形量が１／５に低減されることがシミュレーションによって確認できた。
【０１１１】
このように、本実施形態の場合には、特に複雑な作業を行うことなく、防塵性を落とすことなく、簡単な構造、及び低コストで大きな効果を得ることができる。
【０１１２】
以上説明したように、本実施形態に係るカラープリンタ２０００によると、光走査装置２０１０、４つの画像形成ステーション、転写ベルト２０４０、及び各種ローラなどを備えている。
【０１１３】
光走査装置２０１０は、４つの光源（２２００ａ、２２００ｂ、２２００ｃ、２２００ｄ）、偏向器前光学系、ポリゴンミラー２１０４、走査光学系Ａ、走査光学系Ｂ、及びこれらが収容されている光学ハウジング２３００を有している。
【０１１４】
光学ハウジング２３００のＹ軸方向の２つの側板には、それぞれステー２４０１が締結され、該ステー２４０１がプリンタ筐体に締結されている。
【０１１５】
光学ハウジング２３００の底板の−Ｚ側の面の中央部には、円柱状で段付きの突起部２３０２が設けられている。そして、この突起部２３０２には、側面に溝が形成され、突起部２３０２の外形に倣った形状の空間を内部に有している弾性部材２３１０が取り付けられている。この弾性部材２３１０は、補強用ステー２４０３に保持され、該補強用ステー２４０３がプリンタ筐体に締結されている。
【０１１６】
この場合は、外部からの振動が伝播しても光学ハウジング２３００の変形量を従来よりも少なくすることができる。すなわち、光走査装置を機械的な外乱に強くすることができる。その結果、カラープリンタ２０００は、画像品質を低下させることなく、小型化を図ることができる。
【０１１７】
なお、上記実施形態では、光走査装置が４つの感光体ドラムの−Ｚ側に配置される場合について説明したが、これに限定されるものではなく、光走査装置が４つの感光体ドラムの＋Ｚ側に配置されても良い。この場合は、前記突起部２３０２は、光学ハウジングの上板の＋Ｚ側の面に設けられる。そして、前記補強用ステー２４０３は、光学ハウジングの上板の＋Ｚ側の面の中央部に取り付けられる。
【０１１８】
また、上記実施形態では、ポリゴンミラーが光学ハウジングの中央部に配置されている場合について説明したが、これに限定されるものではない。この場合は、Ｚ軸方向からみたとき、光学ハウジングの底板の中心とポリゴンミラーの回転中心とを結ぶ直線上に前記突起部を設けるのが好ましい。この場合は、外部からの振動と、ポリゴンミラーの回転に起因する振動の両方に対して光学ハウジングの変形を抑制することができる。
【０１１９】
また、上記実施形態では、ポリゴンミラーが１つの場合について説明したが、これに限定されるものではない。例えば、２色毎に１つのポリゴンミラーが設けられている場合は、２つのポリゴンミラーの回転中心を結ぶ直線上であって、光学ハウジングの底板の中心に一番近いところに前記突起部を設けるのが好ましい。この場合は、外部からの振動と、２つのポリゴンミラーの回転に起因する振動とに対して光学ハウジングの変形を抑制することができる。
【０１２０】
また、上記実施形態では、突起部の外形が円柱状の場合について説明したが、これに限定されるものではない。例えば、突起部の外形が、三角柱状、四角柱状、六角柱状などの多角柱状であっても良い。この場合は、例えば２つのステーが互いに異なる変形をして、光学ハウジングにゆがみが生じるのを更に抑制することができる。なお、この場合、弾性部材の内部空間の形状も、該突起部の外形に倣った形状とされる。
【０１２１】
図２８（Ａ）及び図２８（Ｂ）には、突起部の外形が三角柱状の場合の一例が示されている。この場合の弾性部材の一例が、図２９（Ａ）〜図２９（Ｃ）に示されている。なお、図２９（Ｂ）は、図２９（Ａ）のＡ−Ａ断面図である。また、この場合に、補強用ステー２４０３の底板に形成される第１の穴及び第２の穴の一例が、図３０に示されている。この場合は、更に光学ハウジングのＺ軸まわりのゆがみを抑制することができる。
【０１２２】
また、上記実施形態において、前記弾性部材２３１０に代えて、剛性部材を用いても良い。但し、弾性部材２３１０のほうが作業性に優れている。
【０１２３】
また、上記実施形態において、補強用ステーが直接、突起部を保持しても良い。この場合は、前記弾性部材２３１０は不要である。但し、弾性部材２３１０を介したほうが作業性に優れている。
【０１２４】
また、上記実施形態では、ホルダ１０及びホルダ２０がアルミダイカスト部品である場合について説明したがこれに限定されるものではない。例えば、ホルダ１０及びホルダ２０が切削加工によって成形された部材であっても良いし、板金加工によって成形された部材であっても良い。また、ホルダ１０及びホルダ２０の材質がアルミニウム以外の金属であっても良いし、樹脂であっても良い。例えば、ホルダ１０及びホルダ２０が射出成形によって成形された樹脂部材であっても良い。
【０１２５】
また、ホルダ１０及びホルダ２０のＹ軸方向に直交する断面（縦断面）の形状は、上記実施形態に限定されるものではない。また、ホルダ１０及びホルダ２０の寸法は、上記実施形態に限定されるものではない。要するに、ホルダ１０は、Ｚ軸方向に関して、偏光分離素子及び折り返しミラーに対してはみ出すことなく該偏光分離素子と該折り返しミラーを一体的に保持していれば良い。また、ホルダ２０は、Ｚ軸方向に関して、２枚の折り返しミラーに対してはみ出すことなく該２枚の折り返しミラーを一体的に保持していれば良い。
【０１２６】
また、上記実施形態において、前記偏光分離素子２１１０１に代えて、一例として図３１に示されるように、偏光分離デバイス１６１を用いても良い。この偏光分離デバイス１６１は、ビームスプリッタ１６１０、及び２つの偏光子（１６１１、１６１２）を有している。
【０１２７】
ビームスプリッタ１６１０は、像面側走査レンズ２１０７１の−Ｘ側であって、像面側走査レンズ２１０７１を介した光束（光束ＬＢａと光束ＬＢｂ）の光路上に配置されている。このビームスプリッタ１６１０は、入射光束の偏光方向を保存した状態で、入射光束の一部を透過させ、残りを反射するビームスプリッタである。
【０１２８】
偏光子１６１１はビームスプリッタ１６１０の−Ｘ側であって、ビームスプリッタ１６１０を透過した光束の光路上に配置されている。偏光子１６１２はビームスプリッタ１６１０の−Ｚ側であって、ビームスプリッタ１６１０で反射された光束の光路上に配置されている。各偏光子は、ヨウ素又は二色性染料で染色した膜を一軸延伸して得る一般的な偏光フィルムを使用することができる。
【０１２９】
そして、光束ＬＢａのみが偏光子１６１１を透過し、光束ＬＢｂのみが偏光子１６１２を透過するように設定されている。
【０１３０】
また、同様な偏光分離デバイスを、前記偏光分離素子２１１０２に代えて用いても良い。
【０１３１】
また、上記実施形態では、各光源が１つの発光部を有する場合について説明したが、これに限定されるものではない。例えば、各光源が複数の半導体レーザを有しても良い。また、各光源が複数の発光部を持つ半導体レーザアレイを有しても良い。また、前記半導体レーザ（ＬＤ）に代えて、面発光レーザアレイを用いても良い。
【０１３２】
また、上記実施形態では、画像形成装置として４つの感光体ドラムを有するカラープリンタについて説明したが、これに限定されるものではない。例えば、補助色に対応した感光体ドラムが追加されても良い。要するに、複数の感光体ドラムを有していれば良い。
【０１３３】
また、上記実施形態では、光走査装置がプリンタに用いられる場合について説明したが、プリンタ以外の画像形成装置、例えば、複写機、ファクシミリ、又は、これらが集約された複合機にも好適である。
【符号の説明】
【０１３４】
１０…ホルダ、２０…ホルダ、１６１…偏光分離デバイス、２０００…カラープリンタ（画像形成装置）、２０１０…光走査装置、２０３０ａ〜２０３０ｄ…感光体ドラム（像担持体）、２１０４…ポリゴンミラー、２１０５１，２１０５２…偏向器側走査レンズ、２１０７１，２１０７２…像面側走査レンズ、２１０６ａ，２１０６ｂ，２１０６ｃ，２１０６ｄ，２１０８ａ，２１０８ｂ，２１０８ｃ，２１０８ｄ，２１０９ａ，２１０９ｄ…折り返しミラー、２１１０１，２１１０２…偏光分離素子、２２００ａ〜２２００ｄ…光源、２３００…光学ハウジング、２３０２…突起部、２３１０…弾性部材、２４０１…ステー、２４０３…補強用ステー、２４０４ａ…第１の穴、２４０４ｂ…第２の穴。
【先行技術文献】
【特許文献】
【０１３５】
【特許文献１】特許第４２９９１０３号公報
【特許文献２】特開昭６０−３２０１９号公報
【特許文献３】特開平０７−１４４４３４号公報
【特許文献４】特開２０１０−１６０２９５号公報
【図１】
0005884363.tif 000002
【図２】
0005884363.tif 000003
【図３】
0005884363.tif 000004
【図４】
0005884363.tif 000005
【図７】
0005884363.tif 000006
【図８】
0005884363.tif 000007
【図９】
0005884363.tif 000008
【図１０】
0005884363.tif 000009
【図１１】
0005884363.tif 000010
【図１２】
0005884363.tif 000011
【図１３】
0005884363.tif 000012
【図１４】
0005884363.tif 000013
【図１５】
0005884363.tif 000014
【図１６】
0005884363.tif 000015
【図１７】
0005884363.tif 000016
【図１８】
0005884363.tif 000017
【図１９】
0005884363.tif 000018
【図２０】
0005884363.tif 000019
【図２１】
0005884363.tif 000020
【図２２】
0005884363.tif 000021
【図２３】
0005884363.tif 000022
【図２５】
0005884363.tif 000023
【図２７】
0005884363.tif 000024
【図２８】
0005884363.tif 000025
【図２９】
0005884363.tif 000026
【図３０】
0005884363.tif 000027
【図３１】
0005884363.tif 000028
【図５】
0005884363.tif 000029
【図６】
0005884363.tif 000030
【図２４】
0005884363.tif 000031
【図２６】
0005884363.tif 000032